(57)【特許請求の範囲】
【請求項１】
本体と、
前記本体に形成された装着部と、
前記装着部に装着可能な集塵ユニットであり、空気中の塵埃を分離させる主サイクロンユニットと、前記主サイクロンユニットによって分離された塵埃が捕集されるメインチャンバと、前記集塵ユニットと一体に形成された補助チャンバとを備える集塵ユニットと、
前記本体に備えられ、空気に含まれている塵埃を分離し、分離された塵埃が排出される塵埃排出部が形成される補助サイクロンユニットであり、該補助サイクロンユニットにより分離された塵埃は前記補助チャンバ内に捕集される、補助サイクロンユニットと、を備え、
前記補助チャンバは、外側に前記塵埃排出部から排出される塵埃が流入されるようにする塵埃流入部が形成され、
前記補助チャンバが前記装着部に装着される力によって前記塵埃排出部と前記塵埃流入部が加圧されて接触されることにより、空気の漏れを防止し、
前記補助サイクロンユニットは、少なくとも１つのサイクロンから構成され、該サイクロンの軸は前記本体の前後方向に延び、
前記集塵ユニットは、前記メインチャンバ及び前記補助チャンバの上側を同時に開閉する上部カバーをさらに含み、
前記本体は、前記集塵ユニットと補助サイクロンユニットを連結する連結ダクトを備え、
前記集塵ユニットが、前記補助サイクロンユニットが前記本体に設置された状態で前記本体から分離されることを特徴とする真空掃除機。
【請求項２】
前記塵埃流入部は、塵埃が流入される少なくとも１つの塵埃流入ホールが形成される第１接触面を含み、
前記塵埃排出部は、前記塵埃流入ホールと連結されて塵埃を排出する少なくとも１つの塵埃排出ホールが形成される第２接触面を含むことを特徴とする請求項１に記載の真空掃除機。
【請求項３】
前記塵埃排出部の第２接触面は、前記補助チャンバが分離される方向に対して所定の角度をなすことを特徴とする請求項２に記載の真空掃除機。
【請求項４】
前記塵埃排出部の第２接触面は、前記補助チャンバが分離される方向に実質的に垂直であることを特徴とする請求項３に記載の空掃除機。
【請求項５】
前記塵埃排出部の第２接触面は、前記装着部の入口に向かうように構成されることを特徴とする請求項２に記載の真空掃除機。
【請求項６】
前記主サイクロンユニットは、サイクロン方式によって空気中の塵埃を分離させることを特徴とする請求項１に記載の真空掃除機。
【請求項７】
前記補助サイクロンユニットは、前記本体に横たわった状態に配置されることを特徴とする請求項１に記載の真空掃除機。
【請求項８】
前記補助サイクロンユニットは、複数個の小サイクロンから構成されることを特徴とする請求項１に記載の真空掃除機。
【発明の詳細な説明】
【技術分野】
【０００１】
本発明は、真空掃除機に関し、特に、集塵ユニットの構造を改良することによって、集塵ユニットの使い勝手が向上する真空掃除機に関する。
【背景技術】
【０００２】
一般に、真空掃除機は、本体の内部に装着されるモータによって発生する吸入力を用いて、塵埃が含まれた空気を吸入した後、塵埃分離装置内で塵埃をフィルタリングする装置である。
【０００３】
かかる真空掃除機は、吸入口である吸入ノズルが本体と別途に備えられて、連結管によって連結されるキャニスタ方式と、吸入ノズルが一体に形成されるアップライト方式に区別することができる。
【０００４】
一方、従来のサイクロン方式の真空掃除機は、塵埃が含まれた空気を吸入する吸入ノズルと、前記吸入ノズルと連通される本体ユニットと、前記本体ユニットに装着されて、吸入された塵埃をフィルタリングして捕集する集塵ユニットと、前記吸入ノズルで吸入された空気を前記本体ユニット側に案内する延長管と、一側が前記延長管と連結され他側が前記本体ユニットと連結される連結ホースが含まれる。
【０００５】
詳しくは、前記集塵ユニットは、外観を形成する集塵体と、前記集塵体に吸入される空気から比較的に大きな塵埃を分離する主サイクロンユニットと、前記主サイクロンユニットの下流に備えられ、比較的に小さな塵埃を分離する補助サイクロンユニットと、前記集塵体の内側に備えられ、前記主サイクロンユニットで分離された塵埃が捕集されるメインチャンバと、前記集塵体の内部で前記メインチャンバの周囲方向に提供され、前記補助サイクロンユニットで分離された塵埃が捕集されるようにする補助チャンバとを含む。
【０００６】
すなわち、従来の集塵ユニットは、前記主サイクロンユニットと補助サイクロンユニットが共に備えられる。
【発明の開示】
【発明が解決しようとする課題】
【０００７】
ところで、上記のような従来の集塵ユニットによれば、次のような問題がある。
【０００８】
第一、真空掃除機は、保管空間を最小化するために、同じ集塵性能を実現すると共に、コンパクトに製造することが好ましい。これと共に、真空掃除機の特性上、集塵ユニットは、繰り返しの移動や運搬を伴うため、小型化が要求される。
【０００９】
しかし、従来の集塵ユニットの場合、主サイクロンユニット及び補助サイクロンユニットが共に備えられるため、体積と重さが増大してしまい、前記集塵ユニットの取扱が難しい問題があり、このような問題は、前記集塵ユニットに捕集された塵埃の量が多い場合、さらに深刻になる。
【００１０】
第二、前記集塵ユニットに主サイクロンユニット及び補助サイクロンユニットが共に備えられることにより、構造的にメインチャンバが形成される空間が補助チャンバによって小さくなってしまい、メインチャンバの集塵容量が少ない問題があり、これにより、ユーザが頻りに塵埃を除去する必要がある不都合がある。
【００１１】
第三、前記集塵ユニットに主サイクロンユニット及び補助サイクロンユニットが共に備えられるころにより、集塵ユニット内部の複雑な構造によって、集塵ユニットの内部を掃除あるいは洗浄する作業が不都合な問題がある。
【００１２】
第四、前記集塵ユニットに主サイクロンユニット及び補助サイクロンユニットが共に備えられることによって、前記集塵装置に必要な金型の製作に高価の費用がかかり、集塵ユニットが損傷されて塵埃が漏れたり空気の機密が保持されない場合に、集塵ユニット全体を取り替えなければならない問題がある。
【００１３】
第五、従来の集塵ユニットの場合、殆どの塵埃を捕集するメインチャンバの外周面を補助チャンバが取り囲んでいるため、前記メインチャンバに捕集された塵埃量を視認することが困難である問題点がある。
【００１４】
第六、従来は前記集塵ユニットに捕集された塵埃を除去するために、前記集塵ユニットを本体から分離する過程や前記集塵装置内部の塵埃を排出する過程で、室内の再汚染が頻繁に発生する問題がある。
【００１５】
また、塵埃を除去する過程で室内が再汚染されれば、ユーザが再度掃除を行う必要があるため、不都合な問題がある。
【００１６】
本発明は、上述の問題点に鑑みてなされたもので、その目的は、コンパクトな集塵ユニットを有する真空掃除機を提供することにある。
【００１７】
また、本発明の他の目的は、集塵ユニットの構造が簡単であり、重さを軽くする真空掃除機を提供することにある。
【００１８】
また、本発明のさらに他の目的は、集塵ユニット内部の除塵や洗浄が容易な真空掃除機を提供することにある。
【００１９】
また、本発明のさらに他の目的は、塵埃の集塵量が容易に確認できる真空掃除機を提供することにある。
【課題を解決するための手段】
【００２０】
上記目的を達成すべく、本発明に一観点による真空掃除機は、本体と、前記本体に備えられ、空気に含まれている塵埃を分離し、分離された塵埃が排出される塵埃排出部が形成される塵埃分離部と、外側に前記塵埃排出部から排出される塵埃が流入されるようにする塵埃流入部が形成される集塵チャンバと、前記本体に形成され、前記集塵チャンバが装着される装着部とを含み、前記集塵チャンバが前記装着部に装着される力によって前記塵埃排出部と前記塵埃流入部が加圧されて接触されることにより、空気の漏れを防止することを特徴とする。
そして、本発明の真空掃除機は、本体と、前記本体に形成された装着部と、前記装着部に装着可能な集塵ユニットであり、空気中の塵埃を分離させる主サイクロンユニットと、前記主サイクロンユニットによって分離された塵埃が捕集されるメインチャンバと、前記集塵ユニットと一体に形成された補助チャンバとを備える集塵ユニットと、前記本体に備えられ、空気に含まれている塵埃を分離し、分離された塵埃が排出される塵埃排出部が形成される補助サイクロンユニットであり、該補助サイクロンユニットにより分離された塵埃は前記補助チャンバ内に捕集される、補助サイクロンユニットと、を備え、前記補助チャンバは、外側に前記塵埃排出部から排出される塵埃が流入されるようにする塵埃流入部が形成され、前記補助チャンバが前記装着部に装着される力によって前記塵埃排出部と前記塵埃流入部が加圧されて接触されることにより、空気の漏れを防止し、前記補助サイクロンユニットは、少なくとも１つのサイクロンから構成され、該サイクロンの軸は前記本体の前後方向に延び、前記集塵ユニットは、前記メインチャンバ及び前記補助チャンバの上側を同時に開閉する上部カバーをさらに含み、前記本体は、前記集塵ユニットと補助サイクロンユニットを連結する連結ダクトを備え、前記集塵ユニットが、前記補助サイクロンユニットが前記本体に設置された状態で前記本体から分離されることを特徴とする。
【００２１】
本発明の他の観点による真空掃除機は、本体と、前記本体ユニットに提供され、内部に流入される空気に含まれている塵埃を分離し、複数個の小サイクロンが並列に配置されるサイクロンユニットと、前記本体に着脱可能であり、前記サイクロンユニットによって分離された塵埃を捕集し、前記本体に装着されることによって前記サイクロンユニットと連通される集塵ユニットと、を含むことを特徴とする。
【発明の効果】
【００２２】
本発明によれば、次のような効果がある。
【００２３】
第一、主サイクロンユニットが集塵ユニットに提供され、補助サイクロンユニットが前記集塵ユニットと分離されて本体ユニットに備えられるため、前記集塵ユニットの構造が簡単になり、重さが低減し、ユーザが容易に前記集塵ユニットを取扱うことができる利点がある。
【００２４】
第二、前記集塵ユニットから前記補助サイクロンユニットが分離されて構成されるが、前記補助サイクロンユニットによって分離された塵埃は前記集塵ユニットに捕集されるようにすることによって、前記集塵ユニットのみを前記本体ユニットから分離して塵埃を排出させれば済むので、その使い勝手を増大する。
【００２５】
第三、前記集塵ユニットを前記本体ユニットに装着する力によって、前記補助サイクロンユニットによって分離された塵埃が排出される塵埃排出部が前記集塵ユニットの塵埃流入部と相互加圧されて密着されるため、前記塵埃排出部と塵埃流入部の気密性が向上して空気の吸入損失が防止され、真空掃除機の集塵性能が向上する効果がある。
【００２６】
第四、殆どの塵埃を捕集するメインチャンバの外壁が透明な材質で構成され、前記メインチャンバ内部の塵埃捕集量を容易に確認することができ、除塵時期を適時に判断することができる効果がある。
【発明を実施するための最良の形態】
【００２７】
以下、本発明の実施例を、添付図面に基づいて詳述する。
【００２８】
図１は、本発明の第１実施例に係る真空掃除機と集塵ユニットが分離された状態を示す斜視図、図２は、本発明の第１実施例に係る塵埃分離装置と駆動ユニットが結合された状態を示す斜視図、図３は、図２のＩ−Ｉ´線の断面図である。
【００２９】
図１乃至図３に示すように、本発明の思想による真空掃除機１００は、本体ユニット２００と、前記本体ユニット２００に内蔵されて、塵埃が含まれた空気が吸入されるように吸入力を発生させる駆動ユニット２１０と、発生された吸入力によって前記本体ユニット２００に塵埃が含まれた空気が吸入される吸入ノズル（図示せず）と、前記本体ユニット２００に吸入された空気中の塵埃を分離し、分離された塵埃を捕集する塵埃分離装置３００とを含む。
【００３０】
詳しくは、前記本体ユニット２００の前面下側には、前記吸入ノズルと連通する本体吸入部２２０が形成され、前記本体ユニット２００の一側には、前記塵埃分離装置３００を経ながら塵埃が分離された空気が排出される本体排出部２９０が形成される。
【００３１】
前記駆動ユニット２１０は、前記吸入ノズルに外部の空気が吸入されるように吸入力を発生させるファン−モータセンブリー２１１を含む。また、前記ファン−モータセンブリー２１１は、前記本体ユニット２００の内部に備えられるファン−モータチャンバ２１３の内部に収容される。
【００３２】
ここで、前記本体ユニット２００には、前記ファン−モータセンブリー２１１の上流に備えられ、前記ファン−モータセンブリー２１１に流動する空気に含まれている微細塵埃をフィルタリングするモータプリフィルタ２１５が備えられることが好ましい。
【００３３】
前記モータプリフィルタ２１５は、モータを保護する機能を行い、微細塵埃が捕集されるため、集塵性能の低下を防止するために、周期的に洗浄や取替が要求される。
【００３４】
これにより、本実施例では、本体ユニット２００に前記モータプリフィルタを脱着自在に収容するフィルタ収容部２１６が形成され、前記フィルタ収容部２１６は、前記本体ユニット２００に脱着自在に結合されるフィルタカバー２５３によって開閉される。
【００３５】
前記塵埃分離装置３００は、前記本体ユニット２００に備えられ、サイクロン原理で塵埃を分離するサイクロンユニット３６０と、前記サイクロンユニット３６０で分離された塵埃が捕集される集塵ユニット３１０とを含む。
【００３６】
また、前記集塵ユニット３１０は、前記本体ユニット２００に着脱可能であり、前記集塵ユニット３１０が前記本体ユニット２００に装着されることによって前記サイクロンユニット３６０に連結され、前記サイクロンユニット３６０よって分離される塵埃を捕集する。
【００３７】
すなわち、ユーザが前記集塵ユニット３１０の塵埃を除去するために前記本体ユニット２００から前記集塵ユニット３１０を分離すれば、前記集塵ユニット３１０が前記サイクロンユニット３６０と分離され、前記集塵ユニット３１０を前記本体ユニット２００に装着すれば、前記集塵ユニット３１０が前記サイクロンユニット３６０に連結される。
【００３８】
ここで、塵埃分離装置３００の塵埃分離性能を向上させるために、前記塵埃分離装置３００は、前記サイクロンユニット３６０とは別途に塵埃を分離させる機能を行う別途の塵埃分離部３２０をさらに含んで構成することが好ましい。
【００３９】
よって、本実施例では前記サイクロンユニット３６０の上流に前記塵埃分離部３２０が備えられるようにする。
【００４０】
すなわち、前記本体ユニット２００に流入された空気が前記サイクロンユニット３６０に流入される前に、前記塵埃分離部３２０によって一次的に塵埃が分離されるようにすることによって、塵埃分離装置３００の塵埃分離性能を向上させることができる。
【００４１】
ここで、前記塵埃分離部３２０は、前記集塵ユニット３１０に一体に形成され、様々な塵埃分離方式のうち、サイクロン方式で塵埃を分離することが好ましいが、これに限定されるものではない。
【００４２】
以下、説明の便宜上、前記塵埃分離部３２０を主サイクロンユニット３２０とし、前記本体ユニット２００に備えられるサイクロンユニット３６０を補助サイクロンユニット３６０とする。
【００４３】
詳しくは、前記主サイクロンユニット３２０は、前記集塵ユニット３１０の上側に前記集塵ユニット３１０と一体に形成される。また、前記主サイクロンユニット３２０には、実質的に接線方向の第１吸入部３２１が形成される。
【００４４】
すなわち、前記第１吸入部３２１は、塵埃が含まれた空気が前記主サイクロンユニット３２０の接線方向に流入されるようにし、前記主サイクロンユニット３２０内でサイクロンが発生するようにする。
【００４５】
また、前記主サイクロンユニット３２０の軸上には、外周面に所定の大きさの通孔３２４が複数個形成された排気部材３２３が備えられ、前記主サイクロンユニット３２０の内部で一次的に塵埃が分離された空気が排出されるようにする。
【００４６】
一方、前記集塵ユニット３１０は、前記主サイクロンユニット３２０と補助サイクロンユニット３６０によって分離された塵埃を捕集する。
【００４７】
すなわち、前記集塵ユニット３１０は、前記主サイクロンユニット３２０によって分離された塵埃が捕集されるメインチャンバ３３１と、前記補助サイクロンユニット３６０によって分離された塵埃が捕集される補助チャンバ３３５とを含む。
【００４８】
詳しくは、前記メインチャンバ３３１は、前記主サイクロンユニット３２０の下側に形成され、前記補助チャンバ３３５は、前記集塵ユニット３１０の外側に形成される。
【００４９】
本実施例では、前記補助チャンバ３３５は、前記集塵ユニット３１０と一体に形成されるが、前記補助チャンバ３３５が前記集塵ユニット３１０に着脱可能に構成されることもできる。前記補助チャンバ３３５が前記集塵ユニット３１０に着脱可能に備えられる場合、前記補助チャンバ３３５の前記集塵ユニット３１０と向き合う面は、前記集塵ユニット３１０の形状に対応するように形成されることが好ましい。
【００５０】
前記補助チャンバ３３５は、前記集塵ユニット３１０が前記本体ユニット２００に装着されることによって前記補助サイクロンユニット３６０に連結され、前記補助サイクロンユニット３６０によって分離された塵埃が捕集される。
【００５１】
すなわち、前記補助チャンバ３３５は、前記補助サイクロンユニット３６０と一体に形成されず、別途に分離可能な構造からなり、前記補助サイクロンユニット３６０と選択的に連結される。
【００５２】
一方、ユーザが前記集塵ユニット３１０を裏返しして塵埃を除去することができるように、前記主サイクロンユニット３２０の上側には、前記主サイクロンユニット３２０に脱着自在に結合されて上部を開閉する上部カバー３４０が備えられる。
【００５３】
前記上部カバー３４０の中央部には、前記排気部材３２３を通過した空気が主サイクロンユニット３２０から排出されるようにする第１排出部３４２が形成される。
【００５４】
一方、前記補助サイクロンユニット３６０は、前記本体ユニット２００に備えられ、前記主サイクロンユニット３２０を経た空気に含まれている塵埃を再度分離する役割を果たす。
【００５５】
詳しくは、前記本体ユニット２００には、前記集塵ユニット３１０が装着される集塵ユニット装着部２４０が形成され、前記補助サイクロンユニット３６０は、前記集塵ユニット装着部２４０の上側に備えられる。
【００５６】
このとき、前記補助サイクロンユニット３６０は、前記本体ユニット２００に横たわった状態に配置されることが好ましい。
【００５７】
すなわち、前記補助サイクロンユニット３６０が前記本体ユニット２００に横たわった状態に配置されることによって、前記駆動ユニット２１０などとの配置関係において真空掃除機の空間活用度を向上させることができるようになる。
【００５８】
以下、主サイクロンユニットと補助サイクロンユニットの連結構造について説明する。
【００５９】
図４は、本発明の第１実施例に係る塵埃分離装置の斜視図、図５は、本発明の第１実施例に係る補助サイクロンユニットと連結ダクトの結合構造を示す斜視図である。
【００６０】
図４及び図５に示すように、前記主サイクロンユニット３２０と前記補助サイクロンユニット３６０は、連結ダクト３５０によって相互連結される。
【００６１】
詳しくは、前記連結ダクト３５０は、一側が前記主サイクロンユニット３２０の上部に位置する上部カバー３４０と連結され、他側が前記補助サイクロンユニット３６０の上側に形成される結合具３６４に連結される。
【００６２】
また、前記連結ダクト３５０は、前記結合具３６４側に行くほど、流路断面積が拡張する構造で形成される。よって、前記補助サイクロンユニット３６０の結合具３６４側に行くほど、空気の流速が減少し、前記補助サイクロンユニット３６０の結合具３６４側における流動抵抗が最小化される。
【００６３】
また、前記連結ダクト３５０と上部カバー３４０の結合部位及び前記連結ダクト３５０と結合具３６４の結合部位には、空気の漏れを防止するシール部材３５２が提供されることが好ましい。
【００６４】
図６は、前記集塵ユニットの構造を示す斜視図である。
【００６５】
図５及び図６に示すように、前記本体ユニット２００には、上述のように前記集塵ユニットが装着される集塵ユニット装着部２４０が形成される。
【００６６】
また、前記集塵ユニット３１０の補助チャンバ３３５には、前記補助サイクロンユニット３６０で分離された塵埃が流入される塵埃流入部３３６が形成される。
【００６７】
また、前記補助サイクロンユニット３６０には、前記補助サイクロンユニット３６０で分離される塵埃を前記塵埃流入部３３６に排出する塵埃排出部３６５が形成される。
【００６８】
よって、前記塵埃排出部３６５は、前記集塵ユニット３１０がユーザによって前記集塵ユニット装着部２４０に装着されることによって、前記塵埃流入部に連結される。
【００６９】
このとき、前記塵埃排出部３６５と塵埃流入部３３６は、前記集塵ユニット３１０を装着する力によって相互加圧されて密着される。
【００７０】
すなわち、ユーザの押圧力によって前記集塵ユニット３１０が前記集塵ユニット装着部２４０に装着されることによって、前記塵埃流入部３３６は、前記塵埃排出部３６５に接触されて前記塵埃排出部３６５を徐々に加圧することになり、前記塵埃排出部３６５は、前記集塵ユニット３１０を装着する力に対して反力を提供することによって、前記塵埃流入部３３６と塵埃排出部３６５が相互緊密に接触し、それらの間に空気が漏れることを防止し、気密性を向上する。
【００７１】
詳しくは、前記塵埃流入部３３６は、前記補助サイクロンユニット３６０で分離された塵埃が流入される少なくとも１つの塵埃流入ホール３３８が形成された第１接触面３３７を有する。
【００７２】
また、前記塵埃排出部３６５は、前記塵埃流入ホール３３８と連結されて塵埃を排出する少なくとも１つの塵埃排出ホール３６７が形成され、前記第１接触面３３７に密着される第２接触面３６６を有する。
【００７３】
ここで、前記塵埃流入ホール３３８は、前記塵埃排出ホール３６７と同じ数からなるが、全体が一体に形成されることもできる。すなわち、１つの塵埃流入ホール３３８に複数個の塵埃排出ホール３６７が同時に挿入されるようにすることができる。
【００７４】
ここで、前記第１接触面３３７と前記第２接触面３６６は、前記集塵ユニット３１０が前記集塵ユニット装着部２４０に装着されることによって互いに接触し、前記集塵ユニット３１０を装着する力によって相互加圧するように構成されることが好ましい。
【００７５】
よって、前記第２接触面３６６は、前記集塵ユニット３１０が分離される方向と所定の角度をなすことが良いが、曲面をなすことができる。
【００７６】
詳しくは、前記第２接触面３６６は、前記集塵ユニット３１０が分離される方向に対して所定の角度で傾斜するか、好ましくは垂直になるように構成されて、前記集塵ユニット３１０が前記集塵ユニット装着部２４０に装着されるとき、前記集塵ユニット３１０を装着する力に対して反力を提供することにより、前記塵埃流入部３３６と塵埃排出部３６５の気密性を向上する。
【００７７】
ここで、前記第２接触面３６６が前記集塵ユニット２１０の分離方向に所定の角度で傾斜する場合、その角度は４５度〜１３５度であることが好ましく、より好ましくは、前記第２接触面３６６は、前記集塵ユニット３１０が分離される方向と実質的に垂直になることが好ましい。
【００７８】
このとき、「実質的に垂直になる」ということは、前記第２接触面３６６と前記集塵ユニット３１０が分離される方向がなす角が、略７５度〜１０５度の間であることを意味し、さらに好ましくは、前記第２接触面３６６と前記集塵ユニット３１０の分離方向がなす角度が互いに垂直であることを意味する。
【００７９】
また、本実施例において、前記第２接触面３６６は、前記集塵ユニット装着部２４０の入口に向かうように構成される。
【００８０】
本実施例と同様に、前記第２接触面３６６が前記集塵ユニット３１０の分離または装着方向に実質的に垂直であり、前記集塵ユニット３１０が前記集塵ユニット装着部２４０に水平にスライディングされて脱着される場合、前記塵埃流入部３３６の第１接触面３３７は、前記第２接触面３６６に対向するように前記集塵ユニット３１０の装着方向を基準に前記集塵ユニット３１０の前方に位置することになる。
【００８１】
すなわち、前記集塵ユニット３１０が前記本体ユニット２００の前方から装着される場合には、前記第１接触面３３７が前記集塵ユニット３１０の略後面側に形成され、前記集塵ユニット３１０が前記本体ユニット２００の後方から装着される場合には、前記第１接触面３３７が前記集塵ユニット３１０の略前面側に形成されることが好ましい。
【００８２】
このように構成されると、前記塵埃排出部３６５と前記塵埃流入部３３６の接触率が向上し、前記塵埃排出部３６５と塵埃流入部３３６との間の気密性が向上し、空気の吸入損失が防止され、集塵性能が向上する利点がある。
【００８３】
一方、上記の構成とは異なって、前記集塵ユニット３１０が装着されることによって、前記塵埃排出部３６５と塵埃流入部３３６のうち、いずれか一側が他側に前記集塵ユニット３１０が装着される方向を沿って挿入されるように構成されることができる。
【００８４】
本実施例では、前記塵埃排出部３６５が前記塵埃流入部３３６に挿入されるように構成される。
【００８５】
詳しくは、前記塵埃流入部３３６は、前記塵埃排出部３６５を取り囲むフレーム３３９が含まれて構成される。また、前記フレーム３３９は、前記補助チャンバから垂直に延長成形される。
【００８６】
よって、前記フレーム３３９が前記塵埃排出部３６５の周囲面に緊密に接触して、前記塵埃排出部３６５と塵埃流入部３３６との間に空気が漏れることを防止する。
【００８７】
一方、前記メインチャンバ３３１に捕集された塵埃が空気の螺旋流動によって前記主サイクロンユニット３２０に飛散しないようにするために、前記集塵ユニット３１０の内部には、前記主サイクロンユニット３２０と前記メインチャンバ３３１を区画する飛散防止部３２７が水平方向に形成される。
【００８８】
ここで、前記主サイクロンユニット３２０によって分離された塵埃は、前記飛散防止部３２７の縁に形成された開口部３２９を通して下側に移動され、前記メインチャンバ３３１に捕集される。
【００８９】
上述したように、本発明は従来とは異なって、前記補助サイクロンユニット３６０は、本体ユニット２００に備えられ、前記補助サイクロンユニット３２０によって分離された塵埃を捕集する補助チャンバ３３５は、前記集塵ユニット３１０に一体に形成される。
【００９０】
よって、塵埃を除去するために繰り返して脱着する前記集塵ユニット３１０に補助サイクロンユニット３６０が一体に形成されないため、前記集塵ユニット３１０の構造が簡単になり、重さが軽くなる。
【００９１】
また、ユーザは、前記集塵ユニット３１０のみを前記本体ユニット２００から分離し、前記集塵ユニット３１０の上側に結合された上部カバー３４０を分離した後、前記集塵ユニット３１０を裏返しして容易に塵埃を排出させることができる。
【００９２】
このとき、前記メインチャンバ３３１は、ユーザが外部から前記メインチャンバ３３１に集塵された塵埃の量を視認することができるように、透明な材質で形成されることが好ましい。
【００９３】
これにより、ユーザは、殆どの塵埃を捕集するメインチャンバ３３１の内部状態を容易に確認することができ、塵埃を除去する時期を容易に分かる。
【００９４】
図７は、前記補助サイクロンユニットの斜視図、図８は、図７のII−II´線の断面図である。
【００９５】
図７及び図８に示すように、本発明の思想による補助サイクロンユニット３６０は、複数個の小サイクロン３６３から構成され、本実施例では、計４個の小サイクロン３６３が同一平面上に並列に配置される。
【００９６】
詳しくは、塵埃が含まれた空気が順次前記集塵ユニット３１０内部を流動した後に前記補助サイクロンユニット３６０に流入されるため、前記集塵ユニット３１０と前記補助サイクロンユニット３６０は直列に連結されることが分かる。
【００９７】
一方、前記集塵ユニット３１０から排出された空気は、前記連結流路３５０を通して前記補助サイクロンユニット３６０に移動し、前記補助サイクロンユニット３６０の入口で分かれて前記各小サイクロン３６３に流入される。また、前記各小サイクロン３６３に流入された空気は、その内部で各々塵埃が分離される。
【００９８】
すなわち、前記集塵ユニット３１０から排出された空気が前記各小サイクロン３６３のうちのいずれか１つを通過した後、他の小サイクロン３６３を通過するのではなく、同時に前記各小サイクロン部３６３に流入されるのである。
【００９９】
よって、本実施例において、前記補助サイクロンユニット３６０は、同じ機能を有する小サイクロン３６３が複数個並列に配置されるものであることが明らかに分かる。
【０１００】
また、前記複数個の小サイクロン３６３の長さ方向軸は、互いに収斂するように配置される。ここで、前記軸は、前記各小サイクロン３６３の中心を貫通する線をいう。すなわち、前記小サイクロン３６３の軸間距離は、前記第２吸入部３６１側から前記塵埃排出ホール３６７側に行くほど狭くなるように形成される。
【０１０１】
よって、同一平面上に位置し、互いに収斂する複数個の小サイクロン３６３は、線形の形状をなして配置される。
【０１０２】
ここで、前記小サイクロン３６３の軸は、最小限に２つが互いに収斂するように構成されることが好ましく、図７には、補助サイクロンユニット３６０の小型化のために複数個の小サイクロン３６３の長さ方向軸が全て収斂するように構成された形態が示される。
【０１０３】
しかしながら、図７に示す形態とは異なって、計４個の小サイクロン３６３からなる補助サイクロンユニット３６０を例に挙げれば、中央に位置する２つの小サイクロン３６３の軸は互いに平行に配置され、左側と右側の外郭に位置する小サイクロン３６３の軸とこれに隣接する他の小サイクロン３６３の軸は、互いに収斂するように構成することも可能である。
【０１０４】
また、小サイクロン３６３の軸が互いに収斂するために前記各小サイクロン３６３間でなす角度は、小サイクロン３６３自体の大きさや前記小サイクロン３６３に連結される補助チャンバ３３５の容量などによって自由に変更可能である。
【０１０５】
図７に示す小サイクロン３６３は、前記塵埃排出部３６５側に行くほど互いに隣接する小サイクロン３６３間に所定の間隔が生じるように構成されるが、これとは異なって、互いに隣接する小サイクロン３６３が相互接触するように配置し、前記塵埃排出ホール３６７の間隔を最小化することも可能である。
【０１０６】
上記のような本発明は、前記小サイクロン３６３の軸が互いに収斂するように配置されることによって、前記補助サイクロンユニット３６０が占める体積を減らすことができ、結果的に真空掃除機を小型化することができる。
【０１０７】
また、前記補助サイクロンユニット３６０の端部に形成される塵埃排出ホール３６７間の間隔を減らすことによって、前記補助サイクロンユニット３６０と結合される補助チャンバ３３５の塵埃流入３３６の大きさを減らすことができ、結果的に前記補助チャンバ３３５の大きさが余計に大きくなることを防止することができる。
【０１０８】
ここで、前記複数個の小サイクロン３６３の軸は、同一平面上に位置することが前記補助サイクロンユニット３６０のコンパクト化のために好ましいが、これに限定されるものではない。
【０１０９】
また、前記各小サイクロン３６３は、様々な形状に形成されることができるが、遠心力によって空気に含まれている塵埃が円滑に分離できるように回転体形状になることが好ましい。本実施例では、前記小サイクロン３６３は、円錐状の胴体を含んで構成された形態を例示する。
【０１１０】
一方、前記補助サイクロンユニット３６０を構成する各小サイクロン３６３には、内部に空気が流入される第２吸入部３６１が形成される。また、前記第２吸入部３６１には、前記第２吸入部３６１の接線方向に空気をガイドするガイド部３６２が備えられる。
【０１１１】
前記ガイド部３６２は、これに隣接する第２吸入部３６１を面対称になるように区画する機能を果たす。本実施例では、図８に示すように、１つのガイド部３６２が前記各第２吸入部３６１の中央に備えられ、前記ガイド部３６２を中心に左側と右側の第２吸入部３６１を対称になるように区画する。
【０１１２】
また、空気が前記各小サイクロン３６３の接線方向に流動されるために、前記ガイド部３６２に隣接する第２吸入部３６１は、前記ガイド部３６２側に開口され、縁に位置する小サイクロン３６３の第２吸入部３６１は、前記ガイド部３６２に向かって開口される。
【０１１３】
ここで、前記ガイド部３６２は、前記連結ダクト３５０の内部にまで延長されることが好ましく、本実施例では、前記ガイド部３６２は、前記第２吸入部３６１の中央に位置するため、前記連結ダクト３５０の内部を左側と右側に区画することになる。
【０１１４】
一般的に、複数個の小サイクロン３６３から構成された補助サイクロンユニット３６０において、中央部を流動する空気の量が縁側に流動する空気の量より相対的に大きい。
【０１１５】
よって、本発明では、上記のように第２吸入部３６１を区画するガイド部３６２が前記連結ダクト３５０の内部にまで延長されるようにすることによって、空気の流路を左側と右側に分離し、中央部に位置する第２吸入部３６１に空気が集中して流入せず、各第２吸入部３６１に空気が均一に流入されることができるようにする。
【０１１６】
ここで、前記ガイド部３６２の前記連結ダクト３５０の内部に位置する部分は、前記連結ダクト３５０の内部を区画する役割を果たすため、区画部ということができる。
【０１１７】
本実施例では、前記ガイド部３６２が延長して前記連結ダクト３５０の内部を区画するように構成されるが、これとは異なって、前記連結ダクト３５０内部に別途の区画部を形成して、流路が区画されるようにすることもできる。この場合、前記区画部は、前記ガイド部３６２と対応する位置に形成されることは勿論である。
【０１１８】
図９は、図８の他の実施例を示す断面図である。
【０１１９】
図９に示すように、本実施例は上述した実施例のように、ガイド部４６２は、第２吸入部４６１を面対称になるように区画し、前記ガイド部４６２に隣接する第２吸入部４６１は、前記ガイド部４６２側が開口される。
【０１２０】
ただし、縁に位置する小サイクロンの第２吸入部４６１は、外側方向が開口された形状からなり、空気が接線方向に流入されるように構成される。
【０１２１】
以下、真空掃除機１００の作用について説明する。
【０１２２】
まず、真空掃除機１００の駆動ユニット２１０に電源が供給されれば、前記駆動ユニット２１０によって吸入力が発生し、発生した吸入力によって吸入ノズルに塵埃が含まれた空気が吸入される。
【０１２３】
前記吸入ノズルに吸入された空気は、前記本体吸入部２２０を経て第１吸入部３２１を通して前記主サイクロンユニット３２０の内部に吸入される。詳しくは、前記第１吸入部３２１を通して流入される空気は、前記主サイクロンユニット３２０の内壁に接線方向にガイドされて螺旋流を形成することになり、これにより、空気に含まれている塵埃は、空気との遠心力の差によって分離される。
【０１２４】
また、分離された塵埃は、前記開口部３２９を通して前記メインチャンバ３３１に捕集される。このとき、前記メインチャンバ３３１に捕集された塵埃は、前記飛散防止部３２７によって上部に飛散されることを防止する。
【０１２５】
反面、前記主サイクロンユニット３２０によって一次的に塵埃が分離された空気は、前記排気部材３２３と第１排出部３４２を順に通過しながら、上部に移動する。また、上部に移動された空気は、前記連結ダクト３５０に沿って前記補助サイクロンユニット３６０に移動する。
【０１２６】
ここで、前記連結ダクト３５０を流動する空気は、前記小サイクロン３６３の内壁に接線方向に流入される。また、前記小サイクロン３６３の接線方向に流入された空気は、空気との遠心力の差によって再度塵埃が分離され、このように分離された塵埃は、前記塵埃排出ホール３６８から排出されて、前記補助チャンバ３３５に捕集される。
【０１２７】
反面、再度塵埃が分離された空気は、前記小サイクロン３６３の後段の第２排出部（図３の３６９を参照）を通して前記補助サイクロンユニット３６０から排出され、排出ダクト（図３の３９０を参照）に流入される。また、前記排出ダクト（図３の２９０を参照）に流入された空気は、前記モータプリフィルタ２１５を経て前記駆動ユニット２１０側に移動し、前記駆動ユニット２１０を経て前記本体排出部２９０を通して最終的に前記本体ユニット２００から排出される。
【０１２８】
図１０は、本発明の第３実施例に係る真空掃除機の斜視図である。
【０１２９】
本実施例は、第１実施例と同一であり、補助チャンバが前記集塵ユニットと分離される構造において違いがある。よって、以下では、本実施例の特徴的な部分についてのみ説明する。
【０１３０】
図１０に示すように、本実施例では、前記補助サイクロンユニット３６０によって分離された塵埃が捕集される補助チャンバ４３５がメインチャンバ４３１とは別途に前記集塵ユニット４１０から分離可能に備えられる。
【０１３１】
すなわち、図１０では、前記本体ユニット２００から前記集塵ユニット４１０が別途に分離され、前記集塵ユニット４１０とは別途の前記補助チャンバ４３５が前記本体ユニット２００に脱着自在に備えられる形態を示す。
【０１３２】
これにより、本実施例は、前記本体ユニット２００から前記集塵ユニット４１０のみを分離して、前記メインチャンバ４３１に捕集された塵埃を除去することができる。
【０１３３】
また、必要に応じて前記集塵ユニット４１０を分離し、前記本体ユニット２００に装着された補助チャンバ４３５を別途に分離し、これに捕集された塵埃を除去することができる。
【０１３４】
一般的に、主サイクロンユニットと補助サイクロンユニット３６０を比較するとき、前記主サイクロンユニットによって分離された塵埃が相対的に重量が大きく、塵埃量もより多い。よって、前記主サイクロンユニットによって分離される塵埃を捕集するメインチャンバ４３１は、前記補助チャンバ４３５より頻りに除塵する必要がある。
【０１３５】
このような点を着眼して、本実施例では、相対的に除塵回数が極めて少ない前記補助チャンバ４３５を前記本体ユニット２００から分離し、前記メインチャンバ４３１を除塵するために、前記集塵ユニット４１０のみが前記本体ユニット２００から分離されるように構成したものである。
【０１３６】
図１１は、本発明の第４実施例に係る真空掃除機の塵埃分離装置と駆動ユニットが互いに連結された状態を示す斜視断面図である。
【０１３７】
本実施例は、第１実施例と同一であり、補助サイクロンユニットの配置において違いがあることを特徴とする。よって、以下では、本実施例の特徴的な部分についてのみ説明する。
【０１３８】
図１１に示すように、本実施例に係る補助サイクロンユニット５６０は、本体ユニット２００に横たわった状態ではなく、上下方向になるように立設された状態で備えられる。
【０１３９】
ここで、前記補助サイクロンユニット５６０は、垂直に立設されることができ、所定の角度で傾斜するように立設されることができる。
【０１４０】
また、補助チャンバ５３５は、このような補助サイクロンユニット５６０の下段と連結され、前記メインチャンバ５３１の下部に備えられる。
【０１４１】
一方、前記メインチャンバ５３１と補助チャンバ５３５の底は、開閉可能に備えられる。
【０１４２】
詳しくは、前記メインチャンバ５３１と補助チャンバ５３５の底は、一体に形成され、開閉可能な開閉部材５３３が備えられる。
【０１４３】
また、前記開閉部材５３３は、前記集塵ユニット５１０の下部一側に形成されたヒンジ部５３７にヒンジ結合され、前記集塵ユニット５１０の下部他側に形成された結合フック５３９を加圧することによって、前記開閉部材５３３が開放されるように構成される。
【０１４４】
以下、本実施例に係る真空掃除機の作用を簡略に説明する。
【０１４５】
前記駆動ユニット２１０が駆動されれば、前記吸入ノズルに塵埃が含まれた空気が吸入される。前記吸入ノズルを通して吸入された空気は、一次的に主サイクロンユニット５２０を経ながら塵埃が分離され、分離された塵埃は下降して、前記メインチャンバ５３１に捕集される。
【０１４６】
また、前記主サイクロンユニット５２０により一次的に塵埃が分離された空気は、排気部材５２３を通過した後、上部に移動する。また、上部に移動した空気は、連結流路５５０を経て、第２吸入部５６１を通して補助サイクロンユニット５６０をなす複数個の小サイクロンの内壁に各々接線方向にガイドされる。また、前記補助サイクロンユニット５６０に流入された空気は、遠心力により再度塵埃が分離される。このように分離された塵埃は、前記補助サイクロンユニット５６０の終端と連結された補助チャンバ５３５に捕集される。
【０１４７】
一方、再度塵埃分離過程を経た空気は、前記第２排出部５６２を通して前記補助サイクロンユニット５６０から排出され、排出ダクト５９０を経由して下部に流動する。また、下部に流動する空気は、前記モータプリフィルタ２１５によって微細塵埃が最終的に分離され、ファン−モータセンブリー２１１の軸方向に流入される。
【０１４８】
また前記ファン−モータセンブリー２１１に流入された空気は、半径方向に排出され、前記ファン−モータセンブリー２１１から排出された空気は、本体ユニット２００の側面に備えられた本体排出部２９０を通過して最終的に本体ユニット２００から排出される。
【０１４９】
図１２は、本発明の第５実施例に係る真空掃除機の塵埃分離装置と駆動ユニットが互いに連結された状態を示す斜視断面図である。
【０１５０】
本実施例は、第１実施例と同一であり、補助サイクロンユニットに流入される前の空気を一次的に分離する主サイクロンユニットがフィルタユニットに取り替えられることを特徴とする。
【０１５１】
図１２に示すように、本実施例に係る集塵ユニットには、前記補助サイクロンユニット３２０に流入されること以前に優先して塵埃を分離するフィルタユニット６２０が備えられる。
【０１５２】
また、前記フィルタユニット６２０は、集塵フィルタ６２１と前記集塵フィルタ６２１が装着されるフィルタ装着部６２３が含まれて構成されることができる。
【０１５３】
詳しくは、前記フィルタ装着部６２３は、上部カバー６４０の下側に備えられ、前記集塵フィルタ６２３を収容する。
【０１５４】
また、前記集塵フィルタ６２１は、前記フィルタ装着部６２３に着脱可能に収容され、スポンジまたは不織布などで構成することができる。
【０１５５】
一方、前記集塵フィルタ６２１には、塵埃などが固着されるため、真空掃除機の吸入力低下を防止するために周期的に洗浄や取替が要求される。よって、前記集塵フィルタ６２１を掃除機本体から容易に分離することができなければならない。
【０１５６】
本実施例では、前記上部カバー６４０を分離した後、前記集塵フィルタ６２１を容易に分離することができるように構成される。これとは異なって、前記集塵フィルタ６２１を収容するフィルタ装着部６２３がスライディング方式に外部引出し可能に備えられることによって、集塵フィルタ６２１を前記集塵ユニット６１０から分離するように構成することも可能である。
【０１５７】
以上、本発明に係るキャニスタ型の真空掃除機を対象にして説明したが、本発明は上述した実施例に限定されず、アップライト型の真空掃除機やロボット掃除機にも適用可能である。
【０１５８】
上述した本発明の好ましい実施例は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１５９】
【図１】本発明の第１実施例に係る真空掃除機と集塵ユニットが分離された状態を示す斜視図である。
【図２】本発明の第１実施例に係る塵埃分離装置と駆動ユニットが結合された状態を示す斜視図である。
【図３】図２のＩ−Ｉ´線の断面図である。
【図４】本発明の第１実施例に係る塵埃分離装置の斜視図である。
【図５】本発明の第１実施例に係る補助サイクロンユニットと連結ダクトの結合構造を示す斜視図である。
【図６】前記集塵ユニットの構造を示す斜視図である。
【図７】前記補助サイクロンユニットの構造を示す斜視図である。
【図８】図７のII−II´線の断面図である。
【図９】図８の他の実施例を示す断面図である。
【図１０】本発明の第３実施例に係る真空掃除機の斜視図である。
【図１１】本発明の第４実施例に係る真空掃除機の塵埃分離装置と駆動ユニットが互いに連結された状態を示す斜視断面図である。
【図１２】本発明の第５実施例に係る真空掃除機の塵埃分離装置と駆動ユニットが互いに連結された状態を示す斜視断面図である。
【図１】
0004809200.tif 000002
【図２】
0004809200.tif 000003
【図３】
0004809200.tif 000004
【図４】
0004809200.tif 000005
【図５】
0004809200.tif 000006
【図６】
0004809200.tif 000007
【図７】
0004809200.tif 000008
【図８】
0004809200.tif 000009
【図９】
0004809200.tif 000010
【図１０】
0004809200.tif 000011
【図１１】
0004809200.tif 000012
【図１２】
0004809200.tif 000013